【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
アイアンタイプゴルフクラブヘッドを有する少なくとも2つのアイアンタイプゴルフクラブを含むアイアンタイプゴルフクラブのセットであって、
該2つのアイアンタイプゴルフクラブヘッドのうち少なくとも1つが、
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にある該ゴルフクラブヘッドの凹型内部領域と、
該周囲重量配分部材の後縁から引っ込んでおり、該ゴルフクラブヘッドボディの該内部領域内を該周囲重量配分部材の内縁間のトウ−ヒール方向に、かつ該ゴルフクラブヘッドのソールから上に延びて、該周囲重量配分部材内に画定された該ゴルフクラブヘッドの該内部領域の少なくとも1/4を覆う壁と、
該周囲重量配分部材によって画定された該凹型内部領域内に含まれ、該打球フェイスの背後に位置し、該打球フェイスおよび該壁によって画定されたスロットと
を含む、相対的に低いロフト度を有する、重心が低い第一のタイプのアイアンタイプゴルフクラブヘッド
を含み、
該2つのアイアンタイプゴルフクラブヘッドのうち少なくとも1つが、
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にあるゴルフクラブヘッドの凹型内部領域であって、
該凹型内部領域の少なくとも上1/4にわたって延び、ゴルフクラブヘッドの該打球フェイスの背後に位置する、該ゴルフクラブヘッドの該凹型内部領域中のノッチ、および
該凹型内部領域の残り部分を含み、中実でありかつ該ノッチによって画定される区域よりも厚い、該内部領域の下寄り区画
を含み、該ノッチと下寄り領域との間の境界が、該ゴルフクラブヘッドボディの該内部領域内を該周囲重量配分部材の内縁間のトウ−ヒール方向に延びる棚状部によって画定されている、該ゴルフクラブヘッドの凹型内部領域と
を含む、相対的に中間的なロフト度を有する、重心が相対的に低い第二のタイプのアイアンタイプゴルフクラブヘッド
を含み、
該周囲重量配分部材が、該ゴルフクラブヘッドの該打球フェイスの方向に先細となってもよく、該周囲重量配分部材の少なくとも一区画が、該周囲重量配分部材の該先細区画の残り部分が該ゴルフクラブヘッドの該打球フェイスの方向に延びる角度とは異なる角度で傾斜している棚状部を示すような先細となってもよく、
該境界が、該周囲重量配分部材の該棚状部としての線にほぼ沿って延びる、
ロフト度に応じて重心が低く配置される、アイアンタイプゴルフクラブのセット。
【請求項２】
3番アイアンおよび4番アイアンを含み、該3番アイアンおよび該4番アイアンそれぞれが第一のタイプのゴルフクラブヘッドを含む、請求項1記載のアイアンタイプゴルフクラブのセット。
【請求項３】
5番アイアン、6番アイアンおよび7番アイアンを含み、該5番アイアン、該6番アイアンおよび該7番アイアンそれぞれが第二のタイプのゴルフクラブヘッドを含む、請求項2記載のアイアンタイプゴルフクラブのセット。
【請求項４】
8番アイアン、9番アイアンおよび1つまたは複数のウェッジを含み、該8番アイアン、該9番アイアンおよび該1つまたは複数のウェッジそれぞれがブレードタイプのゴルフクラブヘッドを含む、請求項3記載のアイアンタイプゴルフクラブのセット。
【請求項５】
スロットが、0.7〜0.9インチの範囲の高さおよび0.08〜0.12インチの範囲の奥行きを有する、請求項1記載のアイアンタイプゴルフクラブのセット。
【請求項６】
第一のタイプのゴルフクラブヘッドの打球フェイスが第一のゴルフクラブヘッドボディに溶接され、第二のタイプのゴルフクラブヘッドの打球フェイスが第二のゴルフクラブヘッドボディと一体に形成されている、請求項1記載のアイアンタイプゴルフクラブのセット。
【請求項７】
打球フェイスが0.09〜0.11インチの範囲の厚さを有する、請求項6記載のアイアンタイプゴルフクラブのセット。
【請求項８】
第一のタイプのゴルフクラブヘッドの重心が、該ゴルフクラブヘッドのソールから上に17.5〜19.5mmの範囲、ホーゼルから後方に6.0〜8.5mmの範囲および該ゴルフクラブヘッドの打球フェイスの中心から0.0〜1.50mmの範囲内に位置する、請求項1記載のアイアンタイプゴルフクラブのセット。
【請求項９】
3番アイアン、4番アイアンおよび5番アイアンを含み、該3番アイアン、該4番アイアンおよび該5番アイアンそれぞれが第一のタイプのゴルフクラブヘッドを含む、請求項1記載のアイアンタイプゴルフクラブのセット。
【請求項１０】
6番アイアン、7番アイアン、8番アイアン、9番アイアンおよび1つまたは複数のウェッジを含み、該6番アイアン、該7番アイアン、該8番アイアン、該9番アイアンおよび該1つまたは複数のウェッジそれぞれが第二のタイプのゴルフクラブヘッドを含む、請求項9記載のアイアンタイプゴルフクラブのセット。
【手続補正２】
【補正対象書類名】明細書
【補正対象項目名】００１５
【補正方法】変更
【補正の内容】
【００１５】
[本発明1001]
アイアンタイプゴルフクラブヘッドを有する少なくとも2つのアイアンタイプゴルフクラブを含むアイアンタイプゴルフクラブのセットであって、
該2つのアイアンタイプゴルフクラブヘッドのうち少なくとも1つが、
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にある該ゴルフクラブヘッドの凹型内部領域と、
該周囲重量配分部材の後縁から引っ込んでおり、該ゴルフクラブヘッドボディの該内部領域内を該周囲重量配分部材の内縁間のトウ−ヒール方向に、かつ該ゴルフクラブヘッドのソールから上に延びて、該周囲重量配分部材内に画定された該ゴルフクラブヘッドの該内部領域の少なくとも1/4を覆う壁と、
該周囲重量配分部材によって画定された該凹型内部領域内に含まれ、該打球フェイスの背後に位置し、該打球フェイスおよび該壁によって画定されたスロットと
を含む第一のタイプのアイアンタイプゴルフクラブヘッド
を含み、
該2つのアイアンタイプゴルフクラブヘッドのうち少なくとも1つが、
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にあるゴルフクラブヘッドの凹型内部領域であって、
該凹型内部領域の少なくとも上1/4にわたって延び、ゴルフクラブヘッドの該打球フェイスの背後に位置する、該ゴルフクラブヘッドの該凹型内部領域中のノッチ、および
該凹型内部領域の残り部分を含み、中実でありかつ該ノッチによって画定される区域よりも厚い、該内部領域の下寄り区画
を含み、該ノッチと下寄り領域との間の境界が、該ゴルフクラブヘッドボディの該内部領域内を該周囲重量配分部材の内縁間のトウ−ヒール方向に延びる棚状部によって画定されている、該ゴルフクラブヘッドの凹型内部領域と
を含む第二のタイプのアイアンタイプゴルフクラブヘッド
を含み、
該周囲重量配分部材が、該ゴルフクラブヘッドの該打球フェイスの方向に先細となってもよく、該周囲重量配分部材の少なくとも一区画が、該周囲重量配分部材の該先細区画の残り部分が該ゴルフクラブヘッドの該打球フェイスの方向に延びる角度とは異なる角度で傾斜している棚状部を示すような先細となってもよく、
該境界が、該周囲重量配分部材の該棚状部としての線にほぼ沿って延びる、アイアンタイプゴルフクラブのセット。
[本発明1002]
アイアンタイプゴルフクラブヘッドを有する少なくとも第三のアイアンタイプゴルフクラブをさらに含み、該第三のタイプのアイアンタイプゴルフクラブヘッドがブレードタイプゴルフクラブヘッドである、本発明1001のアイアンタイプゴルフクラブのセット。
[本発明1003]
3番アイアンおよび4番アイアンを含み、該3番アイアンおよび該4番アイアンそれぞれが第一のタイプのゴルフクラブヘッドを含む、本発明1002のアイアンタイプゴルフクラブのセット。
[本発明1004]
5番アイアン、6番アイアンおよび7番アイアンを含み、該5番アイアン、該6番アイアンおよび該7番アイアンそれぞれが第二のタイプのゴルフクラブヘッドを含む、本発明1003のアイアンタイプゴルフクラブのセット。
[本発明1005]
8番アイアン、9番アイアンおよび1つまたは複数のウェッジを含み、該8番アイアン、該9番アイアンおよび該1つまたは複数のウェッジそれぞれがブレードタイプのゴルフクラブヘッドを含む、本発明1004のアイアンタイプゴルフクラブのセット。
[本発明1006]
スロットが、0.7〜0.9インチの範囲の高さおよび0.08〜0.12インチの範囲の奥行きを有する、本発明1001のアイアンタイプゴルフクラブのセット。
[本発明1007]
第一のタイプのゴルフクラブヘッドの打球フェイスが第一のゴルフクラブヘッドボディに溶接され、第二のタイプのゴルフクラブヘッドの打球フェイスが第二のゴルフクラブヘッドボディと一体に形成されている、本発明1001のアイアンタイプゴルフクラブのセット。
[本発明1008]
打球フェイスが0.09〜0.11インチの範囲の厚さを有する、本発明1007のアイアンタイプゴルフクラブのセット。
[本発明1009]
第一のタイプのゴルフクラブヘッドの重心が、該ゴルフクラブヘッドのソールから上に17.5〜19.5mmの範囲、ホーゼルから後方に6.0〜8.5mmの範囲および該ゴルフクラブヘッドの打球フェイスの中心から0.0〜1.50mmの範囲内に位置する、本発明1002のアイアンタイプゴルフクラブのセット。
[本発明1010]
3番アイアン、4番アイアンおよび5番アイアンを含み、該3番アイアン、該4番アイアンおよび該5番アイアンそれぞれが第一のタイプのゴルフクラブヘッドを含む、本発明1001のアイアンタイプゴルフクラブのセット。
[本発明1011]
6番アイアン、7番アイアン、8番アイアン、9番アイアンおよび1つまたは複数のウェッジを含み、該6番アイアン、該7番アイアン、該8番アイアン、該9番アイアンおよび該1つまたは複数のウェッジそれぞれが第二のタイプのゴルフクラブヘッドを含む、本発明1010のアイアンタイプゴルフクラブのセット。
[本発明1012]
アイアンタイプゴルフクラブヘッドを有する少なくとも1つのアイアンタイプゴルフクラブと、ハイブリッドタイプゴルフクラブヘッドを有する少なくとも1つのハイブリッドタイプゴルフクラブとを含むゴルフクラブのセットであって、
該少なくとも1つのアイアンタイプゴルフクラブヘッドが、
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にある該ゴルフクラブヘッドの凹型内部領域と、
該周囲重量配分部材の後縁から引っ込んでおり、該ゴルフクラブヘッドボディの該内部領域内を該周囲重量配分部材の内縁間のトウ−ヒール方向に、かつ該ゴルフクラブヘッドのソールから上に延びて、該周囲重量配分部材内に画定された該ゴルフクラブヘッドの該内部領域の少なくとも1/4を覆う壁と、
該周囲重量配分部材によって画定された該凹型内部領域内に含まれ、該打球フェイスの背後に位置し、該打球フェイスおよび該壁によって画定されたスロットと
を含む第一のタイプのアイアンタイプゴルフクラブヘッド
を含み、
該少なくとも1つのハイブリッドタイプゴルフクラブヘッドが、
打球フェイスと、
ゴルフクラブヘッドボディと
を含み、該ゴルフクラブヘッドが、該ゴルフクラブヘッドの該打球フェイスの背後で該クラブヘッドボディの下面を通って延びるキャビティまたはチャネルおよび該クラブヘッドの下面を通って延びる1つまたは複数のさらなるキャビティを含み、該1つまたは複数のさらなるキャビティが、該キャビティまたはチャネルの背後に位置し、該ゴルフクラブヘッドの後部に向かって延びる、ゴルフクラブのセット。
[本発明1013]
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にある該ゴルフクラブヘッドの凹型内部領域であって、
該凹型内部領域の少なくとも上1/4にわたって延び、ゴルフクラブヘッドの該打球フェイスの背後に位置する、該ゴルフクラブヘッドの該凹型内部領域中のノッチ、および
該凹型内部領域の残り部分を含み、中実でありかつ該ノッチによって画定される区域よりも厚い、該内部領域の下寄り区画
を含み、該ノッチと下寄り領域との間の境界が、該ゴルフクラブヘッドボディの該内部領域内を該周囲重量配分部材の内縁間のトウ−ヒール方向に延びる棚状部によって画定されている、該ゴルフクラブヘッドの凹型内部領域と
を含む第二のタイプのアイアンタイプゴルフクラブヘッドを有する少なくとも第二のアイアンタイプゴルフクラブをさらに含み、
該周囲重量配分部材が、該ゴルフクラブヘッドの該打球フェイスの方向に先細となってもよく、該周囲重量配分部材の少なくとも一区画が、該周囲重量配分部材の該先細区画の残り部分が該ゴルフクラブヘッドの該打球フェイスの方向に延びる角度とは異なる角度で傾斜している棚状部を示すような先細となってもよく、
該境界が、該周囲重量配分部材の該棚状部としての線にほぼ沿って延びる、本発明1012のゴルフクラブのセット。
[本発明1014]
第三のタイプのアイアンタイプゴルフクラブヘッドを有する少なくとも第三のアイアンタイプゴルフクラブをさらに含み、該第三のタイプのアイアンタイプゴルフクラブヘッドがブレードタイプゴルフクラブヘッドである、本発明1012のゴルフクラブのセット。
[本発明1015]
4番アイアンを含み、該4番アイアンが第一のタイプのゴルフクラブヘッドを含む、本発明1014のゴルフクラブのセット。
[本発明1016]
5番アイアン、6番アイアンおよび7番アイアンを含み、該5番アイアン、該6番アイアンおよび該7番アイアンそれぞれが第二のタイプのゴルフクラブヘッドを含む、本発明1015のゴルフクラブのセット。
[本発明1017]
8番アイアン、9番アイアンおよび1つまたは複数のウェッジを含み、該8番アイアン、該9番アイアンおよび該1つまたは複数のウェッジそれぞれがブレードタイプのゴルフクラブヘッドを含む、本発明1016のゴルフクラブのセット。
[本発明1018]
スロットが、0.7〜0.9インチの範囲の高さおよび0.08〜0.12インチの範囲の奥行きを有する、本発明1012のゴルフクラブのセット。
[本発明1019]
第一のタイプのアイアンタイプゴルフクラブヘッドの打球フェイスが第一のタイプのゴルフクラブヘッドボディに溶接され、第二のタイプのゴルフクラブヘッドの打球フェイスが第二のタイプのゴルフクラブヘッドボディと一体に形成されている、本発明1012のゴルフクラブのセット。
[本発明1020]
第一のタイプのアイアンタイプゴルフクラブヘッドの打球フェイスが0.090〜0.110インチの範囲の厚さを有する、本発明1019のゴルフクラブのセット。
[本発明1021]
第一のタイプのゴルフクラブヘッド200の重心が、該ゴルフクラブヘッドのソールから17.5〜19.5mmの範囲、ホーゼルから6.0〜8.5mmの範囲および該ゴルフクラブヘッドの打球フェイスの中心から0.00〜1.50mmの範囲内に位置する、本発明1012のアイアンタイプゴルフクラブのセット。
[本発明1022]
アイアンタイプゴルフクラブヘッドを有する少なくとも3つのアイアンタイプゴルフクラブおよびハイブリッドタイプゴルフクラブヘッドを有する少なくとも1つのハイブリッドタイプゴルフクラブを含むゴルフクラブのセットを含むゴルフクラブキットであって、
該3つのアイアンタイプゴルフクラブヘッドのうち少なくとも1つが、
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にある該ゴルフクラブヘッドの凹型内部領域と、
該周囲重量配分部材の後縁から引っ込んでおり、該ゴルフクラブヘッドボディの該内部領域内を該周囲重量配分部材の内縁間のトウ−ヒール方向に、かつ該ゴルフクラブヘッドのソールから上に延びて、該周囲重量配分部材内に画定された該ゴルフクラブヘッドの該内部領域の少なくとも1/4を覆う壁と、
該周囲重量配分部材によって画定された該凹型内部領域内に含まれ、該打球フェイスの背後に位置し、該打球フェイスおよび該壁によって画定されたスロットと
を含む第一のタイプのアイアンタイプゴルフクラブヘッド
を含み、
該3つのアイアンタイプゴルフクラブヘッドのうち少なくとも1つが、
打球フェイスと、
ゴルフクラブヘッドボディと、
該打球フェイスから後方に該ゴルフクラブヘッドボディの外周区域の少なくとも一部分に沿って延びる周囲重量配分部材と、
該周囲重量配分部材によって画定され、かつ該周囲重量配分部材と比べて内側にあるゴルフクラブヘッドの凹型内部領域であって、
該凹型内部領域の少なくとも上1/4にわたって延び、ゴルフクラブヘッドの該打球フェイスの背後に位置する、該ゴルフクラブヘッドの該凹型内部領域中のノッチ、および
該凹型内部領域の残り部分を含み、中実でありかつ該ノッチによって画定される区域よりも厚い、該内部領域の下寄り区画
を含み、該ノッチと下寄り領域との間の境界が、該ゴルフクラブヘッドボディの該内部領域内を該周囲重量配分部材の内縁間のトウ−ヒール方向に延びる棚状部によって画定されている、該ゴルフクラブヘッドの凹型内部領域と
を含む第二のタイプのアイアンタイプゴルフクラブヘッド
を含み、
該周囲重量配分部材が、該ゴルフクラブヘッドの該打球フェイスの方向に先細となってもよく、該周囲重量配分部材の少なくとも一区画が、該周囲重量配分部材の該先細区画の残り部分が該ゴルフクラブヘッドの該打球フェイスの方向に延びる角度とは異なる角度で傾斜している棚状部を示すような先細となってもよく、
該境界が、該周囲重量配分部材の該棚状部としての線にほぼ沿って延び、
該3つのアイアンタイプゴルフクラブヘッドのうち少なくとも1つが、
ブレードタイプゴルフクラブヘッドである第三のタイプのアイアンタイプゴルフクラブヘッドを含み、
該少なくとも1つのハイブリッドタイプゴルフクラブヘッドが、
打球フェイスと、
ゴルフクラブヘッドボディと
を含み、該ゴルフクラブヘッドが、該ゴルフクラブヘッドの該打球フェイスの背後で該クラブヘッドボディの下面を通って延びるキャビティまたはチャネルおよび該クラブヘッドの下面を通って延びる1つまたは複数のさらなるキャビティを含み、該1つまたは複数のさらなるキャビティが、該キャビティまたはチャネルの背後に位置し、該ゴルフクラブヘッドの後部に向かって延びる、ゴルフクラブキット。
本開示は、添付図面において例として説明されるが、それらに限定されない。全図を通じて同様な参照番号が同種の要素を示す。